(57)【特許請求の範囲】
【請求項１】
重ね合わされたサイドエッジ方式の少なくとも表側導光板及び裏側導光板を具備する表示装置であって、
前記表側導光板の表示パターンは第１のバイアス角度を有する第１の格子の交点に形成された凹状ドットによって構成され、
前記裏側導光板の表示パターンは前記第１のバイアス角度と異なる第２のバイアス角度を有する第２の格子の交点に形成された凹状ドットによって構成され、
前記第１、第２のバイアス角度は
ｓｉｎ−１（ＤＭＡＸ／ＰＭＡＸ）≦｜θ１−θ２｜≦９０°−ｓｉｎ−１（ＤＭＡＸ／ＰＭＡＸ）
但し、θ１は前記第１のバイアス角度、
θ２は前記第２のバイアス角度、
ＤＭＡＸは前記凹状ドットの最大サイズ、
ＰＭＡＸは前記凹状ドットの最大ピッチ
によって規定される表示装置。
【請求項２】
重ね合わされたサイドエッジ方式の少なくとも１つの導光板及び液晶表示パネルを具備する表示装置であって、
前記導光板の表示パターンは第１のバイアス角度を有する第１の格子の交点に形成された凹状ドットによって構成され、
前記液晶表示パネルの表示パターンは前記第１のバイアス角度と異なる第２のバイアス角度を有する第２の格子の交点に形成された画素によって構成され、
前記第１、第２のバイアス角度は
ｓｉｎ−１（ＤＭＡＸ／ＰＭＡＸ）≦｜θ１−θ２｜≦９０°−ｓｉｎ−１（ＤＭＡＸ／ＰＭＡＸ）
但し、θ１は前記第１のバイアス角度、
θ２は前記第２のバイアス角度、
ＤＭＡＸは前記凹状ドット及び前記画素の最大サイズ、
ＰＭＡＸは前記凹状ドット及び前記画素の最大ピッチ
によって規定される表示装置。
【請求項３】
前記凹状ドットは円形凹状ドットである請求項１又は２に記載の表示装置。
【請求項４】
前記凹状ドットは矩形凹状ドットである請求項１又は２に記載の表示装置。
【発明の詳細な説明】
【技術分野】
【０００１】
本発明は、サイドエッジライト方式によって導光板を面発光させて表示パターンを表示する表示装置に関する。
【背景技術】
【０００２】
遊技機等の表示装置として、サイドエッジライト方式を用いて導光板を面発光させて導光板に形成された表示パターンを表示する表示装置がある。
【０００３】
図１１は導光板を用いた表示装置の表示原理の第１の例を示す図である。
【０００４】
図１１の（Ａ）に示すように、導光板１０１の入光端面１０１ａ側に光源１０２を設け、導光板１０１の反出光面１０１ｂに、図１１の（Ｂ）に示す三角錐形状もしくは円錐形状の微小な円形凹状ドット１０３ａを形成する。この結果、導光板１０１の入光端面１０１ａに入射した光源１０２からの光Ｌ１０１は円形凹状ドット１０３ａの曲面１０３１で全反射して図１１の（Ａ）の上に向って導光板１０１の出光面１０１ｃから出射する。従って、円形凹状ドット１０３ａを多数配置して表示パターンを形成すると、出光面１０１ｃ側の観察者１０４は微小な円形凹状ドット１０３ａよりなる表示パターンを視認できる（参照：特許文献１の図３２）。
【０００５】
図１２は導光板を用いた表示装置の表示原理の第２の例を示す図である。
【０００６】
図１２の（Ａ）に示すように、導光板１０１の反出光面１０１ｂに、図１２の（Ｂ）に示す微小な矩形凹状ドット１０３ｂを形成する。この結果、導光板１０１の入光端面１０１ａに入射した光源１０２からの光Ｌ１０１は矩形凹状ドット１０３ｂの傾斜面１０３２で全反射して図１２の（Ａ）の上に向って導光板１０１の出光面１０１ｃから出射する。従って、矩形凹状ドット１０３ｂを多数配置して表示パターンを形成すると、出光面１０１ｂ側の観察者１０４は微小な矩形凹状ドット１０３ｂよりなる表示パターンを視認できる（参照：特許文献１の図１２）。
【０００７】
上述の表示パターンを複数表示する場合に、１つの導光板に反射面の方向が異なる２つの表示パターンを形成し、２方向の異なる光源から光を入射する表示装置がある（参照：特許文献１、２）。しかし、この場合、一方の光源を点灯させてその方向の反射面で反射させて表示パターンを表示させるとき、他の方向の反射面でも反射して他の表示パターンとのクロストークが発生して表示品位が低下することがある。
【０００８】
他方、上述の表示パターンを複数表示する場合に、複数の導光板を重ね合わせ、各導光板に１つの表示パターンを形成する表示装置がある（参照：特許文献１の図３３、図３４）。
【先行技術文献】
【特許文献】
【０００９】
【特許文献１】特開２００６−７５３６２号公報
【特許文献２】特開２００９−２９７９５４号公報
【発明の概要】
【発明が解決しようとする課題】
【００１０】
しかしながら、上述の従来の複数の導光板を重ね合わせて各導光板に１つの表示パターンを形成する表示装置においては、裏側導光板を点灯させると、裏側導光板の表示パターンの表示品位が低下する等の課題がある。
【００１１】
たとえば、表側導光板の表示パターンＤＰ１が、図１３の（Ａ）に示すごとく、バイアス角度θ１（＝０°）、ピッチＰ１を有する格子Ｇ１の交点に形成された円形凹状ドット１０３ａ−１により構成され、また、裏側導光板の表示パターンＤＰ２も、図１３の（Ｂ）に示すごとく、上述の同一のバイアス角度θ２（＝θ１）、ピッチＰ２（＝Ｐ１）を有する格子Ｇ２の交点に形成された円形凹状ドット１０３ａ−２により構成されている場合には、裏側導光板を点灯したときには、図１３の（Ｃ）のクロス斜線で示すごとく、表側導光板の表示パターンＤＰ１の円形凹状ドット１０３ａ−１の多くが裏側導光板の表示パターンＤＰ２の円形凹状ドット１０３ａ−２に重複して多くの干渉縞（モアレ）Ｍが生じ、裏側導光板の表示パターンＤＰ２の表示品位が低下するという課題がある。
【００１２】
また、表側導光板の表示パターンＤＰ１が、図１４の（Ａ）に示すごとく、バイアス角度θ１（＝０°）、ピッチＰ１を有する格子Ｇ１の交点に形成された円形凹状ドット１０３ａ−１により構成され、また、裏側導光板の表示パターンＤＰ２が、図１４の（Ｂ）に示すごとく、ランダムに形成された円形凹状ドット１０３ａ−２により構成されている場合には、裏側導光板を点灯したときには、図１４の（Ｃ）のクロス斜線で示すごとく、裏側導光板の表示パターンＤＰ２の円形凹状ドット１０３ａ−２に重複する表側導光板の表示パターンＤＰ１の円形凹状ドット１０３ａ−１は少なくなり、干渉縞（モアレ）Ｍが少なくなるが、裏側導光板の表示パターンＤＰ２の円形凹状ドット１０３ａ−２の間隔の粗密のためにやはり裏側導光板の表示パターンＤＰ２の表示品位が低下するという課題がある。
【００１３】
さらに、表側導光板の表示パターンＤＰ１が、図１５の（Ａ）に示すごとく、バイアス角度θ１（＝０°）、ピッチＰ１を有する格子Ｇ１の交点に形成された円形凹状ドット１０３ａ−１により構成され、また、裏側導光板の表示パターンＤＰ２が、図１５の（Ｂ）に示すごとく、バイアス角度θ２（＝θ１）、ピッチＰ１より小さいピッチＰ２（＜Ｐ１）を有する格子Ｇ２の交点に形成された円形凹状ドット１０３ａ−２により構成されている場合には、裏側導光板を点灯したときには、図１５の（Ｃ）のクロス斜線で示すごとく、裏側導光板の表示パターンＤＰ２の円形凹状ドット１０３ａ−２に重複する表側導光板の円形凹状ドット１０３ａ−１はやはり少なくなり、干渉縞（モアレ）Ｍが少なくなるが、裏側導光板の輝度及び透明度と表側導光板の輝度及び透明度とが相異なるという課題があり、また、ピッチＰ１、Ｐ２の公倍数で干渉縞（モアレ）Ｍが増加する可能性があり、この場合には、やはり表示品位が低下するという課題もある。
【００１４】
尚、図１３、図１４、図１５においては、説明を簡略化するために、表示パターンＤＰ１、ＤＰ２は円形とする。また、バイアス角度θ１、θ２はたとえば表示装置のＸ軸に対する格子Ｇ１、Ｇ２の一方向の軸の傾きである。
【課題を解決するための手段】
【００１５】
上述の課題を解決するために、本発明に係る表示装置は、重ね合わされたサイドエッジライト方式の少なくとも表側導光板及び裏側導光板を具備する表示装置であって、表側導光板の表示パターンは第１のバイアス角度を有する第１の格子の交点に形成された凹状ドットによって構成され、裏側導光板の表示パターンは第１のバイアス角度と異なる第２のバイアス角度を有する第２の格子の交点に形成された凹状ドットによって構成され、第１、第２のバイアス角度は
ｓｉｎ−１（ＤＭＡＸ／ＰＭＡＸ）≦｜θ１−θ２｜≦９０°−ｓｉｎ−１（ＤＭＡＸ／ＰＭＡＸ）
但し、θ１は第１のバイアス角度、
θ２は第２のバイアス角度、
ＤＭＡＸは凹状ドットの最大サイズ、
ＰＭＡＸは凹状ドットの最大ピッチ
によって規定されたものである。

【発明の効果】
【００１６】
本発明によれば、表側導光板の表示パターンの凹状ドットと裏側導光板の表示パターンの凹状ドットとの重複が減少し、従って、干渉縞（モアレ）を減少でき、この結果、表示品位を向上できる。この場合、第１の格子のピッチと第２の格子のピッチとを同程度にすれば、表側導光板の輝度及び透明度と裏側導光板の輝度及び透明度との相違はほとんどない。
【図面の簡単な説明】
【００１７】
【図１】本発明に係る表示装置の第１の実施の形態を示し、（Ａ）は表側導光板の平面図、（Ｂ）は裏側導光板の平面図、（Ｃ）は（Ａ）の表側導光板及び（Ｂ）の裏側導光板を重ね合せた表示装置の斜視図である。
【図２】図１の円形凹状ドットよりなる表示パターンの例を示し、（Ａ）は表側導光板の表示パターンを示し、（Ｂ）は裏側導光板の表示パターンを示し、（Ｃ）は（Ａ）の表側導光板の表示パターン及び（Ｂ）の裏側導光板の表示パターンを重ね合せて裏側導光板を点灯した場合の裏側導光板の表示パターンを示す。
【図３】図１の矩形凹状ドットよりなる表示パターンの例を示し、（Ａ）は表側導光板の表示パターンを示し、（Ｂ）は裏側導光板の表示パターンを示し、（Ｃ）は（Ａ）の表側導光板の表示パターン及び（Ｂ）の裏側導光板の表示パターンを重ね合せて裏側導光板を点灯した場合の裏側導光板の表示パターンを示す。
【図４】本発明に係る表示装置の第２の実施の形態を示し、（Ａ）は表側導光板の平面図、（Ｂ）は裏側導光板の平面図、（Ｃ）は液晶表示（ＬＣＤ）パネルの平面図である。
【図５】図４の（Ａ）の表側導光板、図４の（Ｂ）の裏側導光板及び図４の（Ｃ）のＬＣＤパネルを重ね合せた表示装置の斜視図である。
【図６】図４の円形凹状ドットよりなる表示パターンの例を示し、（Ａ）は表側導光板の表示パターンを示し、（Ｂ）は裏側導光板の表示パターンを示し、（Ｃ）はＬＣＤパネルの表示パターンを示す。
【図７】図６の（Ａ）の表側導光板、図６の（Ｂ）の裏側導光板及び図６の（Ｃ）のＬＣＤパネルを重ね合せてＬＣＤパネルを点灯した場合のＬＣＤパネルの表示パターンを示す。
【図８】図４の矩形凹状ドットよりなる表示パターンの例を示し、（Ａ）は表側導光板の表示パターンを示し、（Ｂ）は裏側導光板の表示パターンを示し、（Ｃ）はＬＣＤパネルの表示パターンを示す。
【図９】図８の（Ａ）の表側導光板、図８の（Ｂ）の裏側導光板及び図８の（Ｃ）のＬＣＤパネルを重ね合せてＬＣＤパネルを点灯した場合のＬＣＤパネルの表示パターンを示す。
【図１０】図２、図３、図６、図８のバイアス角度の設定方法を説明するための１つの導光板（もしくはＬＣＤパネル）の凹状ドット（もしくは画素）のサイズ、ピッチ及びバイアス角度を示す図である。
【図１１】導光板を用いた表示装置の表示原理の第１の例を示す図であって、（Ａ）は全体断面図、（Ｂ）は（Ａ）の円形凹状ドットの斜視図である。
【図１２】導光板を用いた表示装置の表示原理の第２の例を示す図であって、（Ａ）は全体断面図、（Ｂ）は（Ａ）の矩形凹状ドットの斜視図である。
【図１３】課題を説明する表示パターンの第１の例を示す図である。
【図１４】課題を説明する表示パターンの第２の例を示す図である。
【図１５】課題を説明する表示パターンの第３の例を示す図である。
【発明を実施するための形態】
【００１８】
図１は本発明に係る表示装置の第１の実施の形態を示し、（Ａ）は表側導光板の平面図、（Ｂ）は裏側導光板の平面図、（Ｃ）は（Ａ）の表側導光板及び（Ｂ）の裏側導光板を重ね合せた表示装置の斜視図である。
【００１９】
図１の（Ａ）に示すように、表側導光板１１の入光端面１１ａ側に複数の発光ダイオード（ＬＥＤ）パッケージ１２を１列に設け、表側導光板１１の反出光面１１ｂに多数の凹状ドットよりなる表示パターンＤＰ１が設けられている。この結果、導光板１１の入光端面１１ａに入射したＬＥＤパッケージ１２からの光Ｌ１は表示パターンＤＰ１の凹状ドットで全反射して導光板１１の出光面１１ｃから出射し、これにより、出光面１１ｃ側における観察者は表示パターンＤＰ１を視認できる。
【００２０】
また、図１の（Ｂ）に示すように、裏側導光板２１の入光端面２１ａ側に複数のＬＥＤパッケージ２２を１列に設け、裏側導光板２１の反出光面２１ｂに多数の凹状ドットよりなる表示パターンＤＰ２が設けられている。この結果、導光板２１の入光端面２１ａに入射したＬＥＤパッケージ２２からの光Ｌ２は表示パターンＤＰ２の凹状ドットで全反射して導光板２１の出光面２１ｃから出射し、これにより、出光面２１ｃ側における観察者は表示パターンＤＰ２を視認できる。
【００２１】
図１の（Ａ）に示す表側導光板１１と図１の（Ｂ）に示す裏側導光板２１とを重ね合わすと、図１の（Ｃ）に示す表示装置が得られる。すなわち、図１の（Ｃ）において、ＬＥＤパッケージ１２を点灯すると、観察者は表示パターンＤＰ１による「Ａ」を視認できる。この場合、ＬＥＤパッケージ２２は点灯していないので、表示パターンＤＰ２の凹状ドットが表示パターンＤＰ１の凹状ドットに影響することはない。
【００２２】
他方、図１の（Ｃ）において、ＬＥＤパッケージ２２を点灯すると、観察者は表示パターンＤＰ２による「Ｂ」を視認できる。この場合、ＬＥＤパッケージ１２は点灯していなくとも、表示パターンＤＰ１の凹状ドットが表示パターンＤＰ２の凹状ドットに影響するが、図１の表示装置においては、表示パターンＤＰ１の凹状ドット及び表示パターンＤＰ２の凹状ドットを、図２、図３に示すごとく、配置することにより表示パターンＤＰ１の凹状ドットによる表示パターンＤＰ２の凹状ドットへの影響を少なくしている。
【００２３】
図２は図１の円形凹状ドットよりなる表示パターンの例を示し、（Ａ）は表側導光板１１の表示パターンＤＰ１を示し、（Ｂ）は裏側導光板２１の表示パターンＤＰ２を示し、（Ｃ）は（Ａ）の表側導光板１１の表示パターンＤＰ１及び（Ｂ）の裏側導光板２１の表示パターンＤＰ２を重ね合せて裏側導光板２１を点灯した場合の裏側導光板２１の表示パターンＤＰ２を示す。尚、図２においては、説明を簡単にするために、表示パターンＤＰ１、ＤＰ２は、「Ａ」、「Ｂ」の代りに、円形とする。
【００２４】
表側導光板１１の表示パターンＤＰ１は、図２の（Ａ）に示すごとく、バイアス角度θ１、ピッチＰ１を有する格子Ｇ１の交点に形成された円形凹状ドット１０３ａ−１により構成されている。
【００２５】
裏側導光板２１の表示パターンＤＰ２は、図２の（Ｂ）に示すごとく、バイアス角度θ１と異なるバイアス角度θ２（≠θ１）、ピッチＰ２（＝Ｐ１）を有する格子Ｇ２の交点に形成された円形凹状ドット１０３ａ−２により構成されている。
【００２６】
図２の（Ａ）の格子Ｇ１のバイアス角度θ１と図２の（Ｂ）の格子Ｇ２のバイアス角度θ２とは、上述のごとく、相異なり、つまり、θ１≠θ２であり、たとえば、
α１≦｜θ１−θ２｜≦９０°−α１
但し、α１は円形凹状ドットの最大サイズ及びピッチの最大値によって定まる定数（α１については後述するが、たとえば、１５°）の範囲で定められる。この場合、図２の（Ｃ）のクロス斜線で示す干渉縞（モアレ）Ｍが少なくなるように、つまり、裏側導光板２１の表示パターンＤＰ２の円形凹状ドット１０３ａ−２と表側導光板１１の表示パターンＤＰ１の円形凹状ドット１０３ａ−１との重複領域が少なくなるように、バイアス角度θ１、θ２を定める。たとえば、θ１＝０°、θ２＝４５°である。これにより、裏側導光板２１が点灯したときに、表側導光板１１の表示パターンＤＰ１の円形凹状ドット１０３ａ−１との重複領域を少なくして干渉縞（モアレ）Ｍを減少させ、表示品位を向上できる。また、図２においては、格子Ｇ１のピッチＰ１と格子Ｇ２のピッチＰ２とを等しくしているので、裏側導光板２１の輝度及び透明度を表側導光板１１の輝度及び透明度とを等価にできる。
【００２７】
図３は図１の矩形凹状ドットよりなる表示パターンの例を示し、（Ａ）は表側導光板１１の表示パターンＤＰ１を示し、（Ｂ）は裏側導光板２１の表示パターンＤＰ２を示し、（Ｃ）は（Ａ）の表側導光板１１の表示パターンＤＰ１及び（Ｂ）の裏側導光板２１の表示パターンＤＰ２を重ね合せて裏側導光板２１を点灯した場合の裏側導光板２１の表示パターンＤＰ２を示す。尚、図３においても、説明を簡単にするために、表示パターンＤＰ１、ＤＰ２は、「Ａ」、「Ｂ」の代りに、円形とする。
【００２８】
表側導光板１１の表示パターンＤＰ１は、図３の（Ａ）に示すごとく、バイアス角度θ１、ピッチＰ１を有する格子Ｇ１の交点に形成された矩形凹状ドット１０３ｂ−１により構成されている。
【００２９】
裏側導光板２１の表示パターンＤＰ２は、図３の（Ｂ）に示すごとく、バイアス角度θ１と異なるバイアス角度θ２（≠θ１）、ピッチＰ２（＝Ｐ１）を有する格子Ｇ２の交点に形成された矩形凹状ドット１０３ｂ−２により構成されている。
【００３０】
図３の（Ａ）の格子Ｇ１のバイアス角度θ１と図３の（Ｂ）の格子Ｇ２のバイアス角度θ２とは、上述のごとく、相異なり、つまり、θ１≠θ２であり、図２の場合と同様に、たとえば、θ１＝０°、θ２＝４５°である。これにより、裏側導光板２１が点灯したときに、表側導光板１１の表示パターンＤＰ１の矩形凹状ドット１０３ｂ−１との重複領域を少なくして干渉縞（モアレ）Ｍを減少させ、表示品位を向上できる。また、図３においても、格子Ｇ１のピッチＰ１と格子Ｇ２のピッチＰ２とを等しくしているので、裏側導光板２１の輝度及び透明度を表側導光板１１の輝度及び透明度とを等価にできる。
【００３１】
図４は本発明に係る表示装置の第２の実施の形態を示し、（Ａ）は表側導光板の平面図、（Ｂ）は裏側導光板の平面図、（Ｃ）は液晶表示パネル（ＬＣＤ）の平面図である。また、図５は図４の（Ａ）の表側導光板、図４の（Ｂ）の裏側導光板及び図４の（Ｃ）のＬＣＤパネルを重ね合せた表示装置の斜視図である。
【００３２】
図４、図５の表示装置においては、図１の表側導光板１１及び裏側導光板２１に、ＬＣＤパネル３１を付加したものである。ＬＣＤパネル３１においては、格子Ｇ３（図６の（Ｃ）参照）の交点に配置された正方形の画素（たとえば、３色Ｒ、Ｇ、Ｂ画素）が設けられ、表示パターンＤＰ３が形成されている。
【００３３】
図４の（Ａ）に示す表側導光板１１、図４の（Ｂ）に示す裏側導光板２１及び図４の（Ｃ）に示すＬＣＤパネル３１を重ね合わすと、図５に示す表示装置が得られる。すなわち、図５において、ＬＥＤパッケージ１２を点灯すると、観察者は表示パターンＤＰ１による「Ａ」を視認できる。この場合、ＬＥＤパッケージ２２及びＬＣＤパネル３１は点灯していないので、表示パターンＤＰ２の凹状ドット及び表示パターンＤＰ３の画素が表示パターンＤＰ１の凹状ドットに影響することはない。
【００３４】
他方、図５において、ＬＥＤパッケージ２２を点灯すると、観察者は表示パターンＤＰ２による「Ｂ」を視認できる。この場合、ＬＥＤパッケージ１２は点灯していなくとも、表示パターンＤＰ１の凹状ドットが表示パターンＤＰ２の凹状ドットに影響するが、図５の表示装置においては、表示パターンＤＰ１の凹状ドット及び表示パターンＤＰ２の凹状ドットを、図６、図７に示すごとく配置することにより、表示パターンＤＰ１の凹状ドットによる表示パターンＤＰ２の凹状ドットへの影響を少なくしている。
【００３５】
また、図５において、ＬＣＤパネル３１を点灯すると、観察者は「Ｃ」を視認できる。この場合、ＬＥＤパッケージ１２、２２は点灯していなくとも、表示パターンＤＰ１の凹状ドット及び表示パターンＤＰ２の凹状ドットがＬＣＤパネル３１の表示「Ｃ」に影響するが、図５の表示装置においては、表示パターンＤＰ１の凹状ドット及び表示パターンＤＰ２の凹状ドットを、図６、図７に示すごとく、配置することにより表示パターンＤＰ１の凹状ドット及び表示パターンＤＰ２の凹状ドットによるＬＣＤパネル３１の表示パターンＤＰ３への影響を少なくしている。
【００３６】
図６は図４の円形凹状ドットよりなる表示パターンの例を示し、（Ａ）は表側導光板１１の表示パターンＤＰ１を示し、（Ｂ）は裏側導光板２１の表示パターンＤＰ２を示し、（Ｃ）はＬＣＤパネル３１の表示パターンＤＰ３を示す。図７は図６の（Ａ）の表側導光板１１、図６の（Ｂ）の裏側導光板２１及び図６の（Ｃ）のＬＣＤパネル３１を重ね合せてＬＣＤパネルを点灯した場合のＬＣＤパネル３１の表示パターンを示す。尚、図６、図７においても、説明を簡単にするために、表示パターンＤＰ１、ＤＰ２、ＤＰ３は、「Ａ」、「Ｂ」、「Ｃ」の代りに、円形とする。
【００３７】
表側導光板１１の表示パターンＤＰ１は、図６の（Ａ）に示すごとく、バイアス角度θ１（≠０°）、ピッチＰ１を有する格子Ｇ１の交点に形成された円形凹状ドット１０３ａ−１により構成されている。
【００３８】
裏側導光板２１の表示パターンＤＰ２は、図６の（Ｂ）に示すごとく、バイアス角度θ１と異なるバイアス角度θ２（≠θ１）、ピッチＰ２（＝Ｐ１）を有する格子Ｇ２の交点に形成された円形凹状ドット１０３ａ−２により構成されている。
【００３９】
ＬＣＤパネル３１の表示パターンＤＰ３は、図６の（Ｃ）に示すごとく、バイアス角度θ３（＝０°）、ピッチＰ３（＝Ｐ１）を有する格子Ｇ３の交点に形成された正方形の画素１０３ｃにより構成されている。
【００４０】
図６の（Ａ）の格子Ｇ１のバイアス角度θ１、図６の（Ｂ）の格子Ｇ２のバイアス角度θ２及び図６の（Ｃ）の格子Ｇ３のバイアス角度θ３は、相異なり、つまり、θ１≠θ２≠θ３であり、たとえば、
α２≦｜θ１−θ２｜≦９０°−α２
α２≦｜θ２−θ３｜≦９０°−α２
α２≦｜θ３−θ１｜≦９０°−α２
但し、α２は円形凹状ドット及び画素の最大サイズ及びピッチの最大値によって定まる定数（α２については後述するが、たとえば、１５°）の範囲で定められる。この場合、図７のクロス斜線で示す干渉縞（モアレ）Ｍが少なくなるように、つまり、ＬＣＤパネル３１の表示パターンＤＰ３と、裏側導光板２１の表示パターンＤＰ２の円形凹状ドット１０３ａ−２及び表側導光板１１の表示パターンＤＰ１の円形凹状ドット１０３ａ−１との重複領域が少なくなるように、バイアス角度θ１、θ２、θ３を定める。たとえば、θ１＝２０°、θ２＝４０°、θ３＝０°である。これにより、ＬＣＤパネル３１が点灯したときに、表側導光板１１の表示パターンＤＰ１の円形凹状ドット１０３ａ−１及び裏側導光板２１の表示パターンＤＰ２の円形凹状ドット１０３ａ−２との重複領域を少なくして干渉縞（モアレ）Ｍを減少させ、表示品位を向上できる。また、図６、図７においても、格子Ｇ１のピッチＰ１と格子Ｇ２のピッチＰ２とを等しくしているので、裏側導光板２１の輝度及び透明度を表側導光板１１の輝度及び透明度とを等価にできる。
【００４１】
図８は図４の矩形凹状ドットよりなる表示パターンの例を示し、（Ａ）は表側導光板１１の表示パターンＤＰ１を示し、（Ｂ）は裏側導光板２１の表示パターンＤＰ２を示し、（Ｃ）はＬＣＤパネル３１の表示パターンＤＰ３を示す。図９は図８の（Ａ）の表側導光板１１、図８の（Ｂ）の裏側導光板２１及び図８の（Ｃ）のＬＣＤパネル３１を重ね合せてＬＣＤパネルを点灯した場合のＬＣＤパネル３１の表示パターンを示す。尚、図８、図８においても、説明を簡単にするために、表示パターンＤＰ１、ＤＰ２、ＤＰ３は、「Ａ」、「Ｂ」、「Ｃ」の代りに、円形とする。
【００４２】
表側導光板１１の表示パターンＤＰ１は、図８の（Ａ）に示すごとく、バイアス角度θ１（≠０°）、ピッチＰ１を有する格子Ｇ１の交点に形成された矩形凹状ドット１０３ｂ−１により構成されている。
【００４３】
裏側導光板２１の表示パターンＤＰ２は、図８の（Ｂ）に示すごとく、バイアス角度θ１と異なるバイアス角度θ２（≠θ１）、ピッチＰ２（＝Ｐ１）を有する格子Ｇ２の交点に形成された矩形凹状ドット１０３ｂ−２により構成されている。
【００４４】
ＬＣＤパネル３１の表示パターンＤＰ３は、図８の（Ｃ）に示すごとく、バイアス角度θ３（＝０°）、ピッチＰ３（＝Ｐ１）を有する格子Ｇ３の交点に形成された正方形の画素１０３ｃにより構成されている。
【００４５】
図８の（Ａ）の格子Ｇ１のバイアス角度θ１、図８の（Ｂ）の格子Ｇ２のバイアス角度θ２及び図８の（Ｃ）の格子Ｇ３のバイアス角度θ３は、相異なり、つまり、θ１≠θ２≠θ３であり、図６、図７の場合と同様に、たとえば、θ１＝２０°、θ２＝４０°、θ３＝０°である。これにより、ＬＣＤパネル３１が点灯したときに、表側導光板１１の表示パターンＤＰ１の矩形凹状ドット１０３ｂ−１及び裏側導光板２１の表示パターンＤＰ２の矩形凹状ドット１０３ｂ−２との重複領域を少なくして干渉縞（モアレ）Ｍを減少させ、表示品位を向上できる。また、図８、図９においても、格子Ｇ１のピッチＰ１と格子Ｇ２のピッチＰ２とを等しくしているので、裏側導光板２１の輝度及び透明度を表側導光板１１の輝度及び透明度とを等価にできる。
【００４６】
尚、上述の実施の形態においては、円形凹状ドット１０３ａ−１、１０３ａ−２あるいは矩形凹状ドット１０３ｂ−１、１０３ｂ−２のピッチＰ１、Ｐ２及び画素１０３ｃのピッチＰ３を
Ｐ１＝Ｐ２＝Ｐ３
としているが、表側導光板、裏側導光板及びＬＣＤパネル間で輝度及び透明度の相違を許容できる範囲で相異なってもよい。つまり、
Ｐ１≠Ｐ２≠Ｐ３
としてもよい。
【００４７】
また、上述の実施の形態においては、重ね合わされた導光板の枚数は２枚であるが、３枚以上にすることもできる。また、導光板を１枚とし、ＬＣＤパネルに重ね合せることもできる。
【００４８】
さらに、上述の実施の形態においては、各導光板には、一方向から入射して表示パターンを形成しているが、複数の方向から入射して複数の表示パターンを形成してもよい。この場合には、凹状ドットの形状として、円形、矩形あるいは他の形状を光源の配置方向に合わせて配置する。
【００４９】
上述のごとく、バイアス角度は、各導光板の凹状ドット（及びＬＣＤパネルの画素）の重複領域を少なくして干渉縞（モアレ）を少なくするように設定する。このバイアス角度の設定方法について図１０を参照して説明する。
【００５０】
図１０は１つの導光板（もしくはＬＣＤパネル）の凹状ドット（もしくは画素）のサイズＤｉ、ピッチＰｉ及びバイアス角度θｉを示す。
【００５１】
導光板（あるいはＬＣＤパネル）の枚数をｎとすれば、各導光板（あるいはＬＣＤパネル）のバイアス角度θ１、θ２、…、θｎ（θ１≠θ２≠…≠θｎ）は、
ｓｉｎ−１（ＤＭＡＸ／ＰＭＡＸ）≦｜θｉ−θｊ｜≦９０°−ｓｉｎ−１（ＤＭＡＸ／ＰＭＡＸ）
但し、ｉ、ｊ＝１、２、…、ｎ
ｉ≠ｊ
ＤＭＡＸはサイズＤｉ（ｉ＝１、２、…、ｎ）の最大値、
ＰＭＡＸはピッチＰｉ（ｉ＝１、２、…、ｎ）の最大値
によって規定される。通常、サイズＤｉは０．００１ｍｍ≦Ｄｉ≦５ｍｍ、ピッチＰｉは０．００５ｍｍ≦Ｐｉ≦１０ｍｍである。尚、ピッチＰｉは上述の実施の形態では同一であるが、上述のごとく、輝度及び透明度の許容する範囲でピッチＰｉは変化できる。
【００５２】
たとえば、３枚の導光板（ｎ＝３）を考える。例として、１枚目の導光板に対して
Ｄ１＝０．０５ｍｍ、Ｐ１＝０．２５ｍｍ
２枚目の導光板に対して
Ｄ２＝０．０７ｍｍ、Ｐ２＝０．２５ｍｍ
３枚目の導光板に対して
Ｄ３＝０．０５ｍｍ、Ｐ３＝０．２ｍｍ
とすれば、
ＤＭＡＸ＝０．０７ｍｍ、ＰＭＡＸ＝０．２５ｍｍ
となり、従って、
１６．３°≦｜θ１−θ２｜≦７３．７°
１６．３°≦｜θ２−θ３｜≦７３．７°
１６．３°≦｜θ３−θ１｜≦７３．７°
となる。３式を満足する例として、
θ１＝０°、θ２＝２０°、θ３＝４０°
とすれば、各導光板間の凹状ドットの重複領域は最小となり、干渉縞（モアレ）を減少でき、表示品位を向上できる。
【００５３】
尚、本発明は上述の実施の形態の目的の範囲内のいかなる変更にも適用し得る。
【符号の説明】
【００５４】
１１：表側導光板
１１ａ：入光端面
１１ｂ：反出光面
１１ｃ：出光面
１２：ＬＥＤパッケージ
Ｌ１：光
２１：裏側導光板
２１ａ：入光端面
２１ｂ：反出光面
２１ｃ：出光面
２２：ＬＥＤパッケージ
Ｌ２：光
３１：ＬＣＤパネル
１０１：導光板
１０１ａ：入光端面
１０１ｂ：反出光面
１０１ｃ：出光面
１０２：光源
１０３ａ、１０３ａ−１、１０３ａ−２：円形凹状ドット
１０３ｂ、１０３ｂ−１、１０３ｂ−２：矩形凹状ドット
１０３ｃ：画素
１０３１：曲面
１０３２：傾斜面
１０４：観察者
Ｌ１０１：光
ＤＰ１、ＤＰ２、ＤＰ３：表示パターン
Ｇ１、Ｇ２、Ｇ３：格子
θ１、θ２、θ３、θｉ：バイアス角度
Ｐ１、Ｐ２、Ｐ３、Ｐｉ：ピッチ
Ｄｉ：サイズ 
Ｍ：干渉縞（モアレ）
【図１】
0006391440.tif 000002
【図２】
0006391440.tif 000003
【図３】
0006391440.tif 000004
【図４】
0006391440.tif 000005
【図５】
0006391440.tif 000006
【図６】
0006391440.tif 000007
【図７】
0006391440.tif 000008
【図８】
0006391440.tif 000009
【図９】
0006391440.tif 000010
【図１０】
0006391440.tif 000011
【図１１】
0006391440.tif 000012
【図１２】
0006391440.tif 000013
【図１３】
0006391440.tif 000014
【図１４】
0006391440.tif 000015
【図１５】
0006391440.tif 000016